(57)【特許請求の範囲】
【請求項１】
養蜂巣箱の巣門の外部に設けられる電気ゲートであって、隣り合った正負電極の間隙が蜜蜂は電極に触れずに自由に通過することができ、スズメバチ等の蜜蜂より体格の大きい外敵は正負両電極に触れて電気ショックを受けるように各電極を配設したスズメバチ撃退用の電気ゲートにおいて、
前記電気ゲートは、ほぼ一定の間隔で正電極と負電極を交互に配列した複数の棒状電極と、この棒状電極を固着する電気絶縁性の支持枠とからなり、隣り合う正電極と負電極とが平行状にかつ１４〜１８ｍｍのほぼ一定の間隙をなすように形成するとともに、
前記複数の棒状電極の各電極は、直径１〜３ｍｍの円形状の断面を有する丸棒であることを特徴とするスズメバチ撃退用の電気ゲート。
【請求項２】
請求項１に記載のスズメバチ撃退用の電気ゲートを備えた養蜂巣箱。
【請求項３】
請求項１に記載のスズメバチ撃退用の電気ゲートを備えた巣箱取付用スズメバチ撃退アダプター。
【発明の詳細な説明】
【０００１】
【発明の属する技術分野】
本発明は、養蜂巣箱のスズメバチ撃退用の電気ゲートに関する。
【０００２】
【従来の技術】
図５は従来より一般的に用いられる養蜂巣箱の一例である。この巣箱は前面の下部に左右に細長い高さ約１０ｍｍの巣門が設けられ、蜜蜂はこの巣門から自由に出入りする。この高さの巣門では蜜蜂は上下に２匹が重なった状態で出入りすることができ、さらに左右の幅が広いので同時に多数の蜜蜂の出入りが可能であるが、スズメバチも容易に侵入することができる。
養蜂巣箱にスズメバチが侵入すると、蜜蜂や蜂の子が捕食されて巣が全滅したり、あるいは蜜蜂がその巣箱を放棄することがあり、養蜂家にとって大きな問題となっていた。このような問題に対して、巣箱に侵入しようとしたスズメバチをモンドリと呼ばれる円錐状の誘導部へ誘導して捕獲する胡蜂駆除器（登録実用新案第３０２６９７１号）や、巣門の外側空間を蜜蜂は通過できるがスズメバチは通過できない寸法の網目からなる防護網で被った蜜蜂の巣箱装置（登録実用新案第３０４９７４７号）や、巣口を覆うカバー状に働き蜂は通すがそれより体格が大きい蜂は通さない幅の複数のバーを設けた養蜂用巣箱の巣口取付器（登録実用新案第３０２６１８２号）が提案されている。
【０００３】
しかし、前記胡蜂駆除器ではスズメバチは必ずしもモンドリへは誘導されず、巣箱内への侵入を阻止しようとする蜜蜂がかみ殺されることを完全に防ぐことはできなかった。また、前記蜜蜂の巣箱装置や養蜂用巣箱の巣口取付器では、蜜蜂が通過する防護網の網目やバーの幅を蜜蜂が自由に飛んで通過できる寸法に形成すると、スズメバチが羽をすぼめて侵入することが可能となり、スズメバチの侵入を完全に防ぐことはできなかった。
【０００４】
【発明が解決しようとする課題】
本発明は、このような従来の問題に鑑みてなされたもので、養蜂巣箱の入り口に電気ゲートを設けることにより、蜜蜂は自由に出入りができ、蜜蜂より体格の大きいスズメバチの侵入を防止することを技術的課題とする。
【０００７】
【課題を解決するための手段】
上記課題を解決するために、本発明の請求項１のスズメバチ撃退用の電気ゲートは、養蜂巣箱の巣門の外部に設けられる電気ゲートであって、隣り合った正負電極の間隙が蜜蜂は電極に触れずに自由に通過することができ、スズメバチ等の蜜蜂より体格の大きい外敵は正負両電極に触れて電気ショックを受けるように各電極を配設したスズメバチ撃退用の電気ゲートにおいて、前記電気ゲートは、ほぼ一定の間隔で正電極と負電極を交互に配列した複数の棒状電極と、この棒状電極を固着する電気絶縁性の支持枠とからなり、隣り合う正電極と負電極とが平行状にかつ１４〜１８ｍｍのほぼ一定の間隙をなすように形成するとともに、前記複数の棒状電極の各電極は、直径１〜３ｍｍの円形状の断面を有する丸棒であることを特徴とする。
請求項２の養蜂巣箱は、請求項１に記載のスズメバチ撃退用の電気ゲートを備えたものである。
請求項３の巣箱取付用スズメバチ撃退アダプターは、請求項１に記載のスズメバチ撃退用の電気ゲートを備えたものである。
【０００８】
【発明の実施の形態】
本発明の実施の形態を代表的な実施例に基づいて説明する。本発明は、養蜂巣箱の巣門の外部にスズメバチ撃退用の電気ゲートを設けて、蜜蜂は自由に通過させ、スズメバチが侵入しようとしたときにはこれに電気ショックを与えて死滅させるものである。図１は、本発明の電気ゲートを設けた養蜂巣箱の使用状態を示す斜視図である。図１において、巣箱本体１０は一般的に用いられている木製の養蜂巣箱であり、その前面の下部に巣門１１が設けられており、巣箱の前面に当接して巣門１１を覆うカバー状に巣門導入部４０が形成され、巣門導入部４０の巣門１１に対向する前面開口部に電気ゲート２０が設けてある。電気ゲート２０は合成樹脂等の電気絶縁性の支持枠２１に複数の棒状電極３０を平行格子状に固着してなり、正電極３１と負電極３２が交互に１９ｍｍの間隔で縦の平行格子状に一列に設けられたものである。巣門導入部４０は、巣門１１から電気ゲート２０までの蜜蜂の通路であり、電気ゲート２０を通過しなければ外部へ出入りできないように、巣門１１から電気ゲート２０までを木板等で筒状に覆ったものである。棒状電極３０は全て直径２ｍｍのステンレス鋼棒であり、隣り合った正電極３１と負電極３２の間隙は１７ｍｍである。
上記のように構成した養蜂巣箱では、外部に出入りするためには必ず電気ゲート２０を通らなければならず、蜜蜂は自由に正負電極３１，３２の間隙を飛んで電気ゲート２０を通過する。しかし、スズメバチは１７ｍｍの間隙を羽を広げて飛んで通過することはできず、一旦棒状電極にとまって電極の間隙を通り抜けようとする。しかし、棒状電極は細いステンレス鋼棒であるので、スズメバチは足が滑ってしっかりと掴まることができず、隣の電極へいずれかの足を掛けることとなる。すると正負両電極に足や体が触れて、スズメバチは電気ショックを受けて感電死することになる。従って、スズメバチは外部から電気ゲートを通って、養蜂巣箱へ侵入することができない。
【０００９】
【実施例】
本発明の第１実施例は、図１に示すように、巣箱本体１０の前面に当接して巣門１１を覆うカバー状に巣門導入部４０が形成され、この巣門導入部４０の巣門１１に対向する開口部に電気ゲート２０が設けてある。巣門導入部４０は、巣門１１から電気ゲート２０までの蜜蜂の通路であり、蜜蜂は電気ゲート２０を通過しなければ外部へ出入りできないように、巣門１１から電気ゲート２０までを木板等で筒状に覆ったものである。電気ゲート２０は、図２Ａにその正面図を示し、図２Ｂに正面図のＸ−Ｘ’線断面図を示し、図２Ｃに断面図の一部拡大図を示すように、合成樹脂等の電気絶縁性の支持枠２１に複数の棒状電極３０を平行格子状に固着し、正電極３１と負電極３２が交互に１９ｍｍの間隔Ｐで縦の平行格子状に一列に配列したものである。また、棒状電極３０は全て直径２ｍｍのステンレス鋼棒であり、隣り合った正電極３１と負電極３２の間隙Ｓは１７ｍｍである。なお、図示しないが複数の正電極３１はすべて並列に＋端子に接続され、同様に負電極３２もすべて並列に一端子に接続され、＋−各端子からそれぞれ外部の高電圧電源に接続される。高電圧電源としては、ピーク電圧約１０ｋＶ／２００ｋΩで０．７５〜１．３秒間隔の高圧パルス電源を用いた。
【００１０】
本発明の第２実施例は、図３Ａにその正面図を示し、図３Ｂに正面図のＹ−Ｙ’線断面図を示し、図３Ｃに断面図の一部拡大図を示すように、電気ゲート２０の棒状電極３０の配列構造を、正電極３１は縦の平行格子状に２８ｍｍの間隔Ｐ１で一列に形成し、負電極３２も同じ間隔Ｐ２で縦の平行格子状に一列に形成して、正電極３１の列と負電極３２の列を約１０ｍｍの間隔Ｐ３で前後２列に平行に配列し、かつ、前列（正電極３１の列）の各電極間のほぼ中間位置の後方に後列（負電極３２の列）の各電極が位置するように配列したものである。このように配列したことにより、図３Ｃに示すように、前列と後列の互いに近接する正電極３１と負電極３２との間隔は１９ｍｍとなり、また、棒状電極３０は全て直径２ｍｍのステンレス鋼棒を使用したので、前列と後列の互いに近接した正電極と負電極との間隙Ｓは１７ｍｍに形成されている。
【００１１】
現在、わが国で一般的な養蜂用蜜蜂は西洋ミツバチである。西洋ミツバチの成虫は体長が約１５〜１７ｍｍ、羽を広げたときの左右の羽の端から端までの最大長（羽長）は約２２ｍｍである。蜜蜂の天敵である大スズメバチの成虫の体長は約４０〜５０ｍｍ、羽長は約５０〜６０ｍｍであり、キイロスズメバチの成虫の体長は約３０〜４０ｍｍ、羽長は約３０〜５０ｍｍである。（図６参照）
キイロスズメバチは巣箱の内部に侵入することは殆どなく、巣箱の周辺で蜜蜂を待ち構えて襲撃する習性がある。しかし、大スズメバチは巣門から巣箱に侵入し巣箱内の幼虫や女王蜂を含めて蜜蜂を全滅させることも多い。このような西洋ミツバチ・キイロスズメバチ・大スズメバチの体格・習性から、本願発明者が種々実験した結果、電気ゲートの正負電極間の間隙Ｓを１４〜１８ｍｍに形成したとき、西洋ミツバチは飛んで自由に通過できるが、キイロスズメバチ及び大スズメバチは間隙Ｓを羽を広げて飛んで通過することはできず、一旦棒状電極にとまって電極の間隙を通り抜けようとする。さらに、棒状電極を直径１〜３ｍｍの細い金属丸棒で形成すると、スズメバチは足が滑ってしっかりと掴まることができず隣の電極へいずれかの足を掛けることとなり、正負両電極に足や体が触れて電気ショックを受けて感電死することが確かめられた。よって、上記各実施例では、隣り合った正負電極間の間隔を１９ｍｍとし、各電極は直径２ｍｍのステンレス鋼の丸棒を使用したので、正負電極間の間隙Ｓは１７ｍｍとなるよう形成されている。また、正負電極間に印加する高電圧電源の電圧波形等はスズメバチを撃退もしくは死滅させるに十分な数値条件に設定される。なお、本発明の電気ゲートにおいて電極の極性表示は便宜的なものであり、必ずしも高電圧電源の＋端子を電気ゲートの正電極に、高電圧電源の−端子を電気ゲートの負電極に接続する必要はなく、その逆に接続してもよい。要するに、全ての隣り合った正負電極間に高電圧電源からの電圧が印加されていればその極性は問わないのである。
【００１２】
上記各実施例では、電気ゲートの各棒状電極は地面に対して垂直に配列されているが、図４に示すごとく、各棒状電極３０を地面に対して水平になるよう配列してもよい。また、図１Ｂに示すように電気ゲート２０を前傾させて地面に対して一定の斜角度を持たせてもよい。
また、棒状電極３０として直径２ｍｍのステンレス鋼棒を使用したが、この材質に限定されるものではなく、アルミニウム、鉄等の金属またはプラスチック材料に導電性のメッキを施したものであってもよい。
【００１３】
上記各実施例では、本発明の電気ゲートを巣箱本体に巣門導入部を介して固着した例を示したが、巣箱本体１０と巣門導入部４０とを、電気ゲート２０と巣門導入部４０とを、それぞれネジ止等の手段により着脱可能に形成することもできる。
また、本発明の電気ゲート２０と巣門導入部４０とからなる巣箱取付用スズメバチ撃退アダプターとして形成し、既存の巣箱に容易に後付けすることもできる。
【００１４】
【発明の効果】
本発明の電気ゲートを用いることにより、蜜蜂は電気ゲートを通過して自由に巣門から巣箱へ出入りすることができ、スズメバチは電気ゲートを通過することができないので巣箱に侵入することができない。スズメバチが電気ゲートから侵入しようとすると、電気ショックにより殆ど感電死し又は攻撃力を失わせるので、スズメバチを有効に撃退し駆除することができる。
また、棒状電極の円形状断面の直径を１〜３ｍｍに形成したことにより、スズメバチはこの電極につかまろうとしても足がすべって、隣の電極に足をかけることになり、確実に正負電極に接触して感電し電気ショックを受けることになる。
本発明の電気ゲートは、スズメバチ対策用として既存の巣箱本体に、巣門導入部とともに、容易に取り付けて使用できるものである。また、プラスチック等の電気絶縁材料とステンレス鋼棒等の電極材料を用いて安価に製造することができるものである。
本発明の電気ゲートは、巣門からある程度離れた位置に取り付けられることとなるので、電気ゲートにスズメバチが近づいても巣箱内の蜜蜂が神経質になることがなく、スズメバチを攻撃するために巣箱から出て行って犠牲になることを防止できる。
【図面の簡単な説明】
【図１】本発明の電気ゲートを設けた養蜂巣箱の使用状態を示す斜視図（Ａ）、電気ゲートを前傾させて設けた養蜂巣箱の使用状態を示す斜視図（Ｂ）である。
【図２】本発明の第１実施例の電気ゲートの電極配列を示す正面図（Ａ）、正面図中のＸ−Ｘ’線断面を示す断面図（Ｂ）、断面図の一部拡大図（Ｃ）である。
【図３】本発明の第２実施例の電気ゲートの電極配列を示す正面図（Ａ）、正面図中のＹ−Ｙ’線断面を示す断面図（Ｂ）、断面図の一部拡大図（Ｃ）である。
【図４】棒状電極を地面に対して水平に配列した電気ゲートの正面図（Ａ）、正面図中のＺ−Ｚ’線断面を示す断面図（Ｂ）である。
【図５】従来の養蜂巣箱の外観を示す斜視図である。
【図６】西洋ミツバチと大スズメバチの体格の一例を示す比較図である。
【符号の説明】
１０…巣箱本体
１１…巣門
２０…電気ゲート
２１…支持枠
３０…棒状電極
３１…正電極
３２…負電極
４０…巣門導入部
Ｐ…隣り合った正電極と負電極の間隔
Ｐ１…正電極列の各電極の間隔
Ｐ２…負電極列の各電極の間隔
Ｐ３…正電極列と負電極列の列間隔
Ｓ…隣り合った電極と負電極との間隙
【図１】
0004703913.tif 000002
【図２】
0004703913.tif 000003
【図３】
0004703913.tif 000004
【図４】
0004703913.tif 000005
【図５】
0004703913.tif 000006
【図６】
0004703913.tif 000007